(57)【要約】【課題】操作が容易であるディスプレイ支持機構を備えた電子機器を提供することである。【解決手段】この電子機器は、凹所を有している本体１２０と、本体に軸回転可能に結合された第１端部１４２と第２端部１４４とを有しているディスプレイ支持部材１４０と、底部を有しておりディスプレイ支持部材の第２端部に軸回転可能に結合されているディスプレイハウジング１１０と、ディスプレイハウジングの底部に結合されており凹所によって受け入れられディスプレイハウジングを保持するよう適合されている第１ラッチ部材１６０と、を備える。【選択図】      図５
2005149469.tif 000002
【特許請求の範囲】
【請求項１】
凹所を有している本体と、
前記本体に軸回転可能に結合された第１端部と、第２端部と、を有しているディスプレイ支持部材と、
底部を有しており、前記ディスプレイ支持部材の前記第２端部に軸回転可能に結合されているディスプレイハウジングと、
前記ディスプレイハウジングの前記底部に結合されており、前記凹所によって受け入れられ前記ディスプレイハウジングを保持するよう適合されている第１ラッチ部材と、
を備えることを特徴とする電子機器。
【請求項２】
前記凹所は、少なくとも２つの傾斜位置のいずれかに前記ディスプレイハウジングを保持するよう第１ラッチ部材を受け入れる複数の収容部を含むことを特徴とする請求項１に記載の電子機器。
【請求項３】
前記ディスプレイ支持部材は、前記第１ラッチ部材に係合し、前記支持部材に前記ディスプレイハウジングを結合させる第２ラッチ部材を含むことを特徴とする請求項１に記載の電子機器。
【請求項４】
複数の収容部が設けられている上面を有している本体と、
前記本体に軸回転可能に結合されている第１端部と、第２端部と、を有しているディスプレイ支持部材と、
底縁を有しており、前記ディスプレイ支持部材の前記第２端部に軸回転可能に結合されているディスプレイハウジングと、
前記ディスプレイハウジングの前記底縁内に設けられており、前記ディスプレイ支持部材に係合されてディスプレイハウジングの回転を防止し、前記複数の収容部のうちの１つに係合されて少なくとも２つの傾斜位置のうちのいずれかでディスプレイハウジングを保持する第１ラッチ部材と、
を備えることを特徴とする電子機器。
【請求項５】
前記ディスプレイ支持部材は、前記第１ラッチ部材と係合して前記ディスプレイ支持部材に前記ディスプレイハウジングを結合させる第２ラッチ部材を含むことを特徴とする請求項４に記載の電子機器。
【請求項６】
前記第１ラッチ部材は、回転可能な爪機構であることを特徴とする請求項１または４に記載の電子機器。
【請求項７】
前記回転可能な爪機構は、前記爪機構をディスプレイハウジングから離れて回転させるよう付勢する弾性部材を含むことを特徴とする請求項６に記載の電子機器。
【請求項８】
第１の収容部および第２の収容部を有している本体と、
前記本体に軸回転可能に結合されている第１端部と、第２端部と、を有しているディスプレイ支持部材と、
上縁および底縁を有しており、前記底縁が前記ディスプレイ支持部材に接近している第１位置と、前記底縁が前記ディスプレイ支持部材から離れている第２位置との間にある前記ディスプレイ支持部材の前記第２端部に結合されているディスプレイハウジングと、
前記ディスプレイハウジングの底縁に設けられており、前記ディスプレイハウジングが前記第１位置にあるときに前記ディスプレイ支持部材に係合され、前記ディスプレイハウジングが前記第２位置にあるときに前記第１収容部に係合される第１ラッチ部材と、
前記ディスプレイハウジングの上縁に設けられており、前記ディスプレイハウジングが前記第２位置にあるとともに前記ディスプレイ支持部材が前記本体上に重なっているときに前記第２収容部に係合される第２ラッチ部材と、
を備えることを特徴とする電子機器。
【請求項９】
前記第１収容部は、少なくとも２つの傾斜部分のいずれかに前記ディスプレイハウジングを保持する複数の収容部を含むことを特徴とする請求項８に記載の電子機器。
【発明の詳細な説明】
【技術分野】
【０００１】
本発明は、電子機器に関係している。
【背景技術】
【０００２】
過去１０年にわたり、特に、強化されたデータ処理機能の観点から、ノートブック型コンピュータの需要が増えてきている。外部電源または携帯電源のいずれかから動作する、従来のノートブック型コンピュータは、本体に軸回転可能に接続されているディスプレイハウジングを特徴としている。典型的には、ディスプレイハウジングは、液晶ディスプレイ（ＬＣＤ）を特徴としている一方で、本体は、キーボードと、例えばローラーボールまたはタッチパッドなどの二次入力デバイスを特徴としている。
【０００３】
キーボードにアクセスし、そしてＬＣＤを見るために、使用者は、表面（例えば、使用者の膝または静止している表面）上に本体を置き、本体から離れた上向きの角度方向にディスプレイハウジングを軸回転させることによりノートブック型コンピュータを開く。その結果、使用者は、キーボードおよび二次入力デバイスにアクセスすることが可能になるし、同時にＬＣＤから表示された内容を読み込むことが可能になる。使用後にノートブック型コンピュータを閉じ運搬するには、使用者は、本体に向かってディスプレイを軸回転させ、ディスプレイハウジングを固定する。このような軸回転は、本体の裏面に取り付けられているヒンジによって達成されることが出来る。
【０００４】
パーソナルデジタルシスタンス（携帯情報端末）およびタブレットコンピュータの人気の高まりにより、現在、ノートブック型コンピュータは、入力デバイスとして動作するスタイラスを伴なった、タブレットコンピュータとしても動作するよう構成されている。これは、ディスプレイハウジングを反転させることを要求し、すなわち、ＬＣＤは、上方向に面するとともに本体に対し静止するように位置決めされる。
【０００５】
日本国特許第０７−０４９７２５号は、表示画面をキー入力状態またはペン入力状態にすることができるノートブック型コンピュータを開示している。該ペン入力状態では、表示画面はキーボードを覆う。表示画面は、キーボードに対し略平行であるとともに該キーボードから遠ざかる方向に向いている。表示画面はオフセットヒンジポイントを有する２つのアームによって支持されており、オフセットヒンジポイントは、ディスプレイがキー入力状態とペン入力状態との間で回転されるにともない、アームを平行関係へと移動させる。該アームの１つには、表示画面がキー入力状態またはペン入力状態のいずれかのときにアームをロックしてこれらの位置のいずれかに画面を保持するよう動作するカム式ロック機構が装備されている。このロックは表示画面の回転によって解除され、別の画面位置への移動を許容する。
【特許文献１】日本国特許第０７−０４９７２５号
【発明の開示】
【発明が解決しようとする課題】
【０００６】
ディスプレイをタブレットタイプとして使用する場合の別の位置へと軸回転させることを許容する周知の電子機器は、各種欠点を有する場合がある。例えば、１つの欠点は、従来型ディスプレイハウジングは、ＬＣＤの回転を阻止する１対の固定ピン、及びディスプレイハウジングを本体ケースに取り付けるロックの如き２つの独立したロック機構を採用することである。これは、ロック／ロック解除手順を複雑にする。その上、独立したロック機構は、全体の製造コストを上昇させるとともに構造上の障害の可能性を高くしている。
【０００７】
この発明の目的は、操作が容易であるディスプレイ支持機構を備えた電子機器を提供することである。
【課題を解決するための手段】
【０００８】
請求項１に係る電子機器は：凹所を有している本体と；本体に軸回転可能に結合された第１端部と、第２端部と、を有しているディスプレイ支持部材と；底部を有しており、ディスプレイ支持部材の第２端部に軸回転可能に結合されているディスプレイハウジングと；ディスプレイハウジングの底部に結合されており、凹所によって受け入れられディスプレイハウジングを保持するよう適合されている第１ラッチ部材と；を備えることを特徴とする。
【０００９】
請求項４に係る電子機器は：複数の収容部が設けられている上面を有している本体と；本体に軸回転可能に結合されている第１端部と、第２端部と、を有しているディスプレイ支持部材と；底縁を有しており、ディスプレイ支持部材の第２端部に軸回転可能に結合されているディスプレイハウジングと；ディスプレイハウジングの底縁内に設けられており、ディスプレイ支持部材に係合されてディスプレイハウジングの回転を防止し、複数の収容部のうちの１つに係合されて少なくとも２つの傾斜位置のうちのいずれかでディスプレイハウジングを保持する第１ラッチ部材と；を備えることを特徴とする。
【００１０】
請求項８に係る電子機器は：第１の収容部および第２の収容部を有している本体と；本体に軸回転可能に結合されている第１端部と、第２端部と、を有しているディスプレイ支持部材と；上縁および底縁を有しており、底縁がディスプレイ支持部材に接近している第１位置と、底縁がディスプレイ支持部材から離れている第２位置との間にあるディスプレイ支持部材の第２端部に結合されているディスプレイハウジングと；ディスプレイハウジングの底縁に設けられており、ディスプレイハウジングが第１位置にあるときにディスプレイ支持部材に係合され、ディスプレイハウジングが第２位置にあるときに第１収容部に係合される第１ラッチ部材と；ディスプレイハウジングの上縁に設けられており、ディスプレイハウジングが第２位置にあるとともにディスプレイ支持部材が本体上に重なっているときに第２収容部に係合される第２ラッチ部材と；を備えることを特徴とする。
【発明の効果】
【００１１】
この発明によれば、操作が容易であるディスプレイ支持機構を備えた電子機器を提供することが出来る。
【発明を実施するための最良の形態】
【００１２】
以下の詳細な説明に記載された本発明の実施の形態は、一般的に、二重固着能力を提供する、フラットパネルディスプレイ用のインターロック機構に関する。ここにおいて、本発明の少なくとも１つの実施の形態は、ディスプレイハウジングの底部を第１の形態において電子機器のディスプレイ支持部材に取り付けられるようにすることが出来、第２形態において電子機器の本体に取り付けられるようにすることが出来るインターロック機構に関係している。
【００１３】
以下の説明において、１つまたは複数の実施の形態の特定の特徴を記載するよう特定の用語が使用される。例えば、「電子機器」は、フラットパネルディスプレイを伴なった製品として規定されている。この詳細な説明では、明瞭性および図示目的のためにのみ、電子機器は、ノートブック型コンピュータ及びタブレットコンピュータの間で交互に変化することができる携帯型コンピュータとして例示されている。本発明の実施の形態は、パーソナルデジタルアシスタンス（携帯情報端末）、携帯電話、デジタルカメラ、ビデオカメラ、ナビゲーションシステム、及びこれらと同等のものを含むが、これらに限定または制限されない種々の電子機器において使用されることができる。
【００１４】
明細書中、「上」、「下」、「前」、「後」、「頂部」、「底部」、「垂直」および「水平」など、幾何学的方向および関係を示す用語は、典型的な動作方向において特定の装置に適用されるものとして、或いは図に示されているものとして、通常の意味で使用される。本発明の各実施の形態は、多様な全体方向のいずれにも容易に配置され１つ以上の典型的な動作方向を有する小型の携帯装置と共に使用してもよい。装置の全体方向における変化は、もちろん、いかなる所定の全体方向にある装置に適用される幾何学的方向および関係の用語を変える。幾何学的方向および関係の用語は、ここでは説明の明確性のために使用され、本発明の種々の実施の形態の広義の態様を制限するものとして読解されるべきではない。
【００１５】
ここにおいて、用語「回転する」、「軸回転（pivot）する」は、その時制が変化したものも含めて、一般的に、回転軸の周りの角移動として規定されている。この回転軸は、該装置の全体方向に関して固定することができる。この詳細な説明のため、用語「垂直方向に軸回転された」は（その時制が変化した場合も含めて）、一般的に、実質的に水平な回転軸に沿った回転に関係している。用語「水平方向に軸回転された」は（その時制が変化した場合も含めて）、一般的に、実質的に垂直な回転軸に沿った回転に関係している。
【００１６】
図１〜図３は、種々の位置に配置されている電子機器１００の斜視図を示している。特に、図１は、閉位置に配置されている電子機器１００の斜視図を示している。図２は、ノートブック位置に配置されている電子機器１００の斜視図が示されている。図３は、タブレット位置に配置されている電子機器１００の斜視図を示しており、ここにおいてはディスプレイハウジング１１０のバックディスプレイパネル１１４が本体１２０のフロントパネル部１２２の付近にある。電子機器１００の特徴およびコンポーネントは、図１〜図３に基づいて参照される。
【００１７】
以下に記載される如きインターロック機構の一実施の形態を備えた電子機器１００は、第１ヒンジアセンブリ１３０および第２ヒンジアセンブリ１５０を介して本体１２０に軸回転可能に結合されているディスプレイハウジング１１０と、ディスプレイ支持部材１４０と、を備える。ディスプレイハウジング１１０および本体１２０の異なった領域は、異なった材料で構成されることが考えられる。例えば、二次入力デバイス１８５を取り囲んでいる本体１２０のフロントパネル部１２２の一部１２３は、長期間の使用における耐久性を向上させるよう、硬化プラスチックよりもステンレス鋼や他の金属組成物で構成してもよい。
【００１８】
本発明の一実施の形態においては、本体１２０は、２つの主要パネル部、即ち、フロントパネル部１２２及びバックパネル部１２４、を備えてもよい。これらのパネル部１２２，１２４は、電子機器１００のハードウェアコンポーネントおよび格納ソフトウェアを収容するよう一緒にされてよい。これは、異物および環境条件に対する保護を提供する。この実施の形態では、パネル部１２２，１２４は、硬化プラスチックなどの非柔軟材料で構成してよい。本体１２０は、底縁１２６と、その反対側にある頂縁１２８とを有する。
【００１９】
電子機器１００は、本体１２０内に一体化されているキーボード１８０を更に備えてよい。例えば、タッチパッドまたはトラックボールなどの二次入力デバイス１８５を、本体１２０内に一体化させてよい。本発明の一実施の形態では、デュアルスピーカー１７０，１７２が、底縁１２６の付近で本体１２０内に一体化されるとともにディスプレイ支持部材１４０によって分離されていてよい。スピーカー１７０，１７２は、ディスプレイハウジング１１０が閉位置に配置されているときに実質的に可視状態であってもよい。
【００２０】
ディスプレイ支持部材１４０は、第１端部１４２と、その反対側にある第２端部１４４と、を有する。第１ヒンジアセンブリ１３０は、ディスプレイ支持部の第１端部を底縁１２６付近の本体１２０に軸回転可能に結合させる。本発明の一実施の形態では、第１ヒンジアセンブリ１３０は、本体１２０の底縁１２６とディスプレイ支持部材１４０の第１端部１４２とを軸回転可能に結合させるように構成されてよい。
【００２１】
ディスプレイ支持部材１４０は、底縁１２６に近接して結合させてよく、これは、第１ヒンジアセンブリ１３０が、底縁１２６の平面内または、その平面から幾分前方または後方にある、実質的に水平な回転軸の周りに回転することを意味している。
【００２２】
本発明の一実施の形態では、第１ヒンジアセンブリ１３０用の回転軸は、底縁１２６の前方の数インチでよい。これは、第１ヒンジアセンブリ１３０の水平な回転軸と本体１２０の底縁１２６との間に本体の後部を提供する。本体の後部は、本体１２０内のハードウェアコンポーネントのうちの幾つか、例えば、スピーカー１７０，１７２を収容してよい。
【００２３】
本発明の一実施の形態では、デバイス１００がノートブック位置に開いているときに本体１２０の上方の選択された回転角度にディスプレイハウジング１１０を維持するため、第１ヒンジアセンブリ１３０がねじり棒機構または摩擦ヒンジなどのブレーキ機構を設けてよい。例えば、第１ヒンジアセンブリ１３０は角度Ａでディスプレイハウジング１１０を維持するよう適合されていてよく、この場合、「Ａ」は、約３０度と約１５０度との間の範囲である（図２参照）。
【００２４】
ディスプレイハウジング１１０は、フラットパネルディスプレイ１１１を収容する。本発明の一実施の形態では、ディスプレイハウジング１１０は、フラットパネルディスプレイ１１１に表示可能な画像を生成するための回路構成部品の全てまたは一部を収容してもよい。フラットパネルディスプレイ１１１の例は、液晶ディスプレイ（ＬＣＤ）、プラズマディスプレイ、あるいはこれらと同等なものを含むが、これらに限定または制限されない。
【００２５】
ディスプレイハウジング１１０は、共に結合されている２つのパネル部を備えてよい。これらのパネル部は、フロントディスプレイパネル１１２及びバックディスプレイパネル１１４を含んでもよい。フラットパネルディスプレイ１１１は、フラットパネルディスプレイ１１１の表示面がディスプレイハウジング１１０のフロントディスプレイパネル１１２内に見ることが可能であるように収容してよい。
【００２６】
ここにおいて、ディスプレイ１１０は頂縁１１８を有し、この頂縁は、ディスプレイハウジング１１０が閉位置（図１）に配置されたときの本体１２０の頂縁１２８に実質的に近接する縁部である。その上、フラットパネルディスプレイ１１１は、本体１２０のフロントパネル部１２２の付近にある。
【００２７】
ディスプレイハウジングが閉位置（図１）またはノートブック位置（図２）に配置されているとき、該ディスプレイハウジング１００は本体１２０の底縁１２６に実質的に近接して配置されている底縁１１７を有する。
【００２８】
或いは、ディスプレイハウジング１１０の底縁１１７は、該ディスプレイハウジング１１０がタブレット位置（図３）に配置されたときに本体１２０の頂縁１２８に実質的に近接して配置されてよい。タブレット位置において、バックディスプレイパネル１１４は、本体１２０のフロントパネル部１２２の付近にある。
【００２９】
図４は、ディスプレイハウジング１１０の特定の面を図示できるように、ディスプレイ支持部材１４０を伴なわず閉位置にある、図１の電子機器１００の斜視図である。バックディスプレイパネル１１４は、ディスプレイ支持部材１４０（図示せず）を収容するよう寸法付けされている凹み領域１１５を含んでよい。この凹み領域１１５は、電子機器１００が閉位置（図１参照）にあるときに、バックディスプレイパネル１１４の頂面１１６がディスプレイ支持部材１４０の頂面１４１と実質的に同一平面になることを可能にしている。
【００３０】
図１中に示されているように、第２ヒンジアセンブリ１５０は、ディスプレイ支持部材１４０の第２端部１４４をディスプレイハウジング１１０に軸回転可能に結合してよい。本発明の一実施の形態では、第２ヒンジアセンブリ１５０は、ディスプレイハウジング１１０のバックディスプレイパネル１１４の長手方向中心１５１に近接して位置決めされてよいが、これは、第２ヒンジアセンブリ１５０がディスプレイハウジング１１０の後方縁１１７および前方縁１１８から略等距離にある実質的に水平な回転軸の周りに回転されてよいことを意味する。この回転軸は、バックディスプレイパネル１１４の平面内、または、この平面より幾分上または下にあってよい。
【００３１】
第２ヒンジアセンブリ１５０によって設定されている長手方向の中心１５１と第１ヒンジアセンブリ１３０との間にあるディスプレイハウジング１１０の一部は、ディスプレイハウジング１１０の「底部」１１９として引用される。第２ヒンジアセンブリ１５０は、ディスプレイハウジング１１０を第２ヒンジアセンブリ１５０により設定されている水平な回転軸の周りに垂直方向に軸回転させることを可能にしている。第２ヒンジアセンブリ１５０は、摩擦ヒンジ、摩擦ヒンジの集合体、または、ブレーキ機構を伴なわない１つまたは複数のヒンジであってよい。
【００３２】
図４に戻ると、バックディスプレイパネル１１４は、第２ヒンジアセンブリ１５０を受け入れるよう適合された凹み部１５２を備えてよい。この凹み部１５２は、凹み領域１１５内にあってよい。
【００３３】
図４中に更に示されているように、ディスプレイハウジング１１０は、底縁１１７の近くでバックディスプレイパネル１１４に結合されている、ラッチフックなどの、１つまたはそれ以上の第１ラッチ部材１１３を備えてよい。第１ラッチ部材１１３は、凹み領域１１５内に位置決めされていてよい。
【００３４】
ディスプレイ支持部材１４０およびヒンジアセンブリ１３０，１５０の配置は、ディスプレイハウジング１１０を本体１２０に関する種々の態様に配置させることを許容する。図５の（Ａ）は、閉位置に配置されているディスプレイハウジング１１０を示す概略的な断面図である。図５の（Ｂ）は、ノートブック位置に配置されているディスプレイハウジング１１０を示す概略的な断面図である。図５の（Ｃ）は、ノートブック位置に配置されているディスプレイハウジング１１０を示す概略的な断面図である。電子機器１００の特徴および構成要素は、図５の（Ａ）乃至（Ｃ）に基づいて参照される。
【００３５】
図５の（Ａ）中に示されているように、ディスプレイ支持部材１４０は、第１端部１４２の付近でディスプレイ支持部材１４０に結合されている１つまたはそれ以上の第２ラッチ部材２２０を備えてよい。各第１ラッチ部材１１３は、ディスプレイハウジング１１０を支持部材１４０に結合させるとともに第２ヒンジアセンブリ１５０の回転を防止するよう、第２ラッチ部材２２０のうちの１つに係合してよい。これは、ディスプレイ支持部材１４０及び結合されているディスプレイハウジング１１０を第１ヒンジアセンブリ１３０の周りに回転させることによりディスプレイハウジング１１０が閉位置（図５の（Ａ））からノートブック位置（図５の（Ｂ））へと移動されてよい電子機器１００の第１の態様を提供する。
【００３６】
第１格納ラッチ部材１６０は、頂縁１１８の付近でディスプレイハウジング１１０上に設けてよい。第２格納ラッチ部材１６２は、頂縁１２８の付近で本体１２０上に設けてよい。第１格納ラッチ部材１６０は、第１ヒンジアセンブリ１３０の回転を防止するとともに図５の（Ａ）に示されているような閉位置に電子機器１００を維持するよう、第２格納ラッチ部材１６２に結合されてよい。第１格納ラッチ部材１６０は、第１ヒンジアセンブリ１３０の回転を許容するとともに電子機器１００が図５の（Ｂ）中に示されているようなノートブック位置へと開くことを許容するよう、第２ラッチ部材１６２から結合解除されてよい。本発明の一実施の形態では、第１格納ラッチ部材１６０は、図５の（Ｂ）中に示されているように回転可能としてよい。
【００３７】
第１ラッチ部材１１３は、第１ヒンジアセンブリ１３０の回転を許容するとともに電子機器１００を図５の（Ｃ）中に示されているようなタブレット位置に配置することを許容するよう、第２ラッチ部材２２０から結合解除されてよい。本発明の一実施の形態では、第２ラッチ部材２２０は、第２ラッチ部材２２０を第１ラッチ部材１１３と係合する位置に向かい付勢するよう、ばねの如き弾性部材１５４を伴なったスライド可能ボタンを備えてよい。スライド可能ボタンは、第１ラッチ部材１１３を結合解除させるよう、弾性部材１５４に対抗して移動させてよい。
【００３８】
本体１２０は、頂縁１２８の付近でフロントパネル部１２２に含まれている１つまたはそれ以上の収容部１９１を備えてよい。本発明の一実施の形態では、１つまたはそれ以上の細長凹所（channel）１９０，１９２がフロントパネル部１２２上に形成されている（図１参照）。各細長凹所（channel）１９０，１９２は、収容部１９１，１９３用の凹み領域を含み、これら収容部のうちの１つが図５の（Ａ）乃至図５の（Ｄ）中に更に示されている。図５の（Ｃ）に示されているように、デバイス１００がタブレット位置に開かれたとき、第１ラッチ部材１１３は収容部１９１と係合してよい。
【００３９】
図５の（Ｄ）中に示されているように、ディスプレイハウジング１１０は、第１ラッチ部材１１３を結合解除するとともにディスプレイハウジングが本体から自由に遠ざかることを許容する以前に、タブレット位置から遠ざかる実質的な回転を要求してよい。この方法では、第１ラッチ部材または収容部を独立に移動可能とすることを要求することなく、第１ラッチ部材１１３を収容部１９１にしっかりと結合させる。
【００４０】
本発明の一実施の形態では、第１格納ラッチ部材１６０は、図５の（Ｃ）中に示されているように、底縁１２６の付近で本体に結合されている第３格納ラッチ部材（図示せず）と係合するよう、回転可能としてよい。第３格納ラッチ部材への第１格納ラッチ部材の結合は、電子機器１００がタブレット位置にあるときにディスプレイハウジング１１０を更に固定する。第１格納ラッチ部材１６０の回転は、タブレット位置におけるフロントディスプレイパネル１１２上に障害物のない表面を提供する。
【００４１】
本発明の一実施の形態では、２つまたはそれ以上の収容部、例えば３つの収容部１９１，１９１’，１９１”が、各第１ラッチ部材１１３’の為に設けられてよい。追加の収容部１９１’，１９１”は、本体１２０の頂縁１２８から連続して遠い距離に配置されてよい。これは、電子機器が図６の（Ａ）および図６の（Ｂ）中に示されているようなタブレット位置にあるとき、ディスプレイハウジング１１０が本体１２０に関する種々の角度で固定されることを許容する。これは、少なくとも２つの傾斜位置のうちのいずれかにディスプレイハウジング１１０がある状態で、本体１２０のフロントパネル部１２２上の溝１９０にディスプレイハウジング１１０が結合されることを許容する。
【００４２】
本発明の一実施の形態では、第１ラッチ部材１１３’は、前記収容部の各々と係合されたときの異なった量だけディスプレイハウジングが回転されている状態で、２つまたはそれ以上の収容部１９１，１９１’，１９１”に対し第１ラッチ部材が適合することを許容する爪機構であってよい。弾性部材１１８は、種々の収容部１９１，１９１’，１９１”内への係合を容易にするよう、爪機構１１３’を付勢してディスプレイハウジング１１０から離れて回転させる。弾性第１ラッチ部材１１３’が、合致するラッチ部材と係合されていないときに第１ラッチ部材をそらすことを許容するようにしてもよい。
【００４３】
以上各実施の形態を添付図面に記載および図示したが、このような実施の形態は、本発明の様々な実施の形態の広義の態様を図示したものにすぎず、これらに制限されないと理解される。また、これらの実施の形態は、様々な他の変形が可能なので、図示および記載された特定の構成および配置に限定されないと理解される。
【図面の簡単な説明】
【００４４】
【図１】閉位置に配置されている電子機器の実施の形態の斜視図である。
【図２】ノートブック位置に配置されたときの、図１の電子機器の斜視図である。
【図３】タブレット位置に配置されたときの、図１の電子機器の斜視図である。
【図４】ディスプレイ支持部材なしで閉位置に配置されている、図１の電子機器の斜視図である。
【図５】（Ａ）は、閉位置に配置されている、図１の電子機器の実施の形態の概略的な断面図であり；  （Ｂ）は、ノートブック位置に配置されたときの、図５の（Ａ）の電子機器の概略的な断面図であり；  （Ｃ）は、タブレット位置に配置されたときの、図５の（Ａ）の電子機器の概略的な断面図であり；  （Ｄ）は、タブレット位置の為にラッチ機構に係合または係合解除されている、図５の（Ａ）の電子機器の概略的な断面図である。
【図６】（Ａ）及び（Ｂ）は、複数のタブレット位置を有している電子機器の別の実施の形態の概略的な断面図である。
【符号の説明】
【００４５】
１００…電子機器、１１０…ディスプレイハウジング、１１１…フラットパネルディスプレイ、１１２，１１３…フロントディスプレイパネル、１１４…バックディスプレイパネル、１１５…凹み領域、１１７…底縁、１２０…本体、１２２…フロントパネル部、１２６…底縁、１２８…頂縁、１３０…第１ヒンジアセンブリ、１４０…ディスプレイ支持部材、１４２…第１端部、１４４…第２端部、１５０…第２ヒンジアセンブリ、１５１…長手方向の中心、１５２…凹み部、１５４…弾性部材、１６０…第１格納ラッチ部材、１６２…第２格納ラッチ部材、１７０，１７２…デュアルスピーカー，１８５…二次入力デバイス，１８０…キーボード，１９０，１９２…細長凹所（channel），１９１，１９３…収容部、１９１，１９１’，１９１”…収容部、２２０…第２ラッチ部材
【図１】
2005149469.tif 000003
【図２】
2005149469.tif 000004
【図３】
2005149469.tif 000005
【図４】
2005149469.tif 000006
【図５】
2005149469.tif 000007
【図６】
2005149469.tif 000008